(57)【要約】【課題】加熱コイルを効率よく冷却し、安定した加熱効率と高い信頼性が実現できるとともに、冷却騒音の低い誘導加熱調理器を提供する。【解決手段】誘導加熱調理器の本体９内に加熱コイル２０ａと、冷却ファン５５と、前記加熱コイル２０ａに前記冷却ファン５５からの冷却風を通風するダクト３と、噴流を発生させる複数の気孔３０を有するチャンバ３３とを備えるとともに、前記冷却ファン５５のケーシング５４の少なくとも一部を前記ダクト３及びチャンバ３３と一体構造にする。【選択図】  図１
2005038653.tif 000002
【特許請求の範囲】
【請求項１】
誘導加熱調理器の本体内に誘導加熱コイルと、冷却ファンと、前記誘導加熱コイルに冷却ファンからの冷却風を通風するダクトとを備え、前記冷却ファンのケーシングの少なくとも一部が前記ダクトと一体構造になっていることを特徴とする誘導加熱調理器。
【請求項２】
誘導加熱調理器の本体内に誘導加熱コイルと、冷却ファンと、前記誘導加熱コイルに冷却ファンからの冷却風を通風するダクトと、噴流を発生させる複数の気孔を有するチャンバとを備え、前記冷却ファンのケーシングの少なくとも一部が前記ダクトと、チャンバと一体構造になっていることを特徴とする誘導加熱調理器。
【請求項３】
誘導加熱調理器の本体内に誘導加熱コイルと、前記誘導加熱コイルが載置されるコイルベースと、前記コイルベースの中央部に設置される鍋温度センサと、冷却ファンと、この冷却ファンにより前記誘導加熱コイルの上面にコイル中央部から放射状に冷却風を通風する通風路とを備え、さらに前記温度センサの風上側通風路内に該通風路壁と一体構造のフードを設けることを特徴とする誘導加熱調理器。
【請求項４】
誘導加熱調理器の本体内に誘導加熱コイルと、前記誘導加熱コイルが載置されるコイルベースと、前記コイルベースの中央部に設置される鍋温度センサと、冷却ファンと、前記冷却ファンにより誘導加熱コイルの上面にコイル中央部から放射状に冷却風を通風する通風路とを備え、前記温度センサの風上側通風路内に前記コイルベースと一体構造のフードを設けることを特徴とする誘導加熱調理器。
【請求項５】
ダクト又はチャンバの本体側への設置面において、通風路に本体側からリブを設けることを特徴とする請求項１乃至２記載の誘導加熱調理器。
【請求項６】
ダクト又はチャンバの本体側への設置面において、本体側に溝を設けることを特徴とする請求項１乃至２記載の誘導加熱調理器。
【請求項７】
誘導加熱調理器の本体内に誘導加熱コイルと、冷却ファンと、前記誘導加熱コイルに冷却ファンにより冷却風を通風するダクトとを備え、前記冷却ファンの回転中心軸と誘導加熱コイルの中心軸とをダクト内で仮想的に直線で結んだ場合に、少なくともダクト壁に遮られない部分がある通風構造とすることを特徴とする誘導加熱調理器。
【請求項８】
誘導加熱調理器の本体内に誘導加熱コイルと、前記誘導加熱コイルを駆動する回路ユニットと、冷却ファンとを備え、前記冷却ファンのケーシングと回路ユニットとの間にノーズケーシング壁前記冷却ファンのケーシング内部まで設置することを特徴とする誘導加熱調理器。
【発明の詳細な説明】
【０００１】
【発明の属する技術分野】
本発明は、誘導加熱調理器の冷却構造に関するものである。
【０００２】
【従来の技術】
誘導加熱調理器は、誘導加熱コイルに高周波電流を流した際に発生する磁力線が金属製の調理鍋を通過するときに鍋底に渦電流によるジュール発熱を発生することで加熱調理を行うものである。
【０００３】
誘導加熱による調理鍋の発生電力は、誘導加熱コイルの供給電流、周波数、巻き数、調理鍋の材質の比透磁率、抵抗率等が高いほど大きく、渦電流によって生じる調理鍋の発熱度合いにこれらの因子が影響することになる。
【０００４】
つまり、熱効率と定義される誘導加熱コイルに供給した電力に対する調理鍋の発生電力は、調理鍋の材質や構造によっても異なることになる。
【０００５】
従って、例えば熱効率が８０％の場合、供給電力の２０％が熱損失として誘導加熱コイル自体や誘導加熱コイルを駆動する回路基板の発熱となり、それぞれの許容温度まで部品冷却を行う必要性が生じる。
【０００６】
鉄鍋に比べて材質抵抗が小さいアルミ鍋や銅鍋においては、熱効率が低く、誘導加熱における発生電力が生じ難いので、誘導加熱コイルや回路基板等の部品発熱は熱効率が低いほど大きくなるため、調理鍋に対応した冷却設備が必要となる。
【０００７】
誘導加熱が難しいアルミ鍋等の加熱について、特許文献１には、５０ｋＨｚ以上の高周波回路を利用した誘導加熱技術が公開されている。しかしながら、冷却構造に関する技術は開示されていない。
【０００８】
アルミ鍋を加熱できる従来の誘導加熱調理器の一例として、特許文献２には、アルミ鍋加熱ができる誘導加熱コイルを、冷却ファンに近い側、もしくはロースターから遠い側に配置し、発熱バランスを取りやすくした冷却構造が開示されている。
【０００９】
また、特許文献３には、冷却ファンをコンパクトに本体内に実装するために、モータ出力軸の両側にファンを設け、この二つのファンにより誘導加熱コイルと回路基板の両方に側方から冷却空気を送風させる冷却構造が開示されている。
【００１０】
さらに、特許文献４には、誘導加熱コイルを冷却するための風路と、誘導加熱コイルを駆動する回路基板を冷却するための風路を分離して構成した冷却構造が開示されている。
【００１１】
【特許文献１】
特公平２−３７０７６号公報
【特許文献２】
特開２００３−１７２３２号公報
【特許文献３】
特開２００３−６８４３９号公報
【特許文献４】
特開平１１−８０５１号公報
【００１２】
【発明が解決しようとする課題】
前記したように、特許文献２、特許文献３及び特許文献４に記載された従来構成である冷却空気を誘導加熱コイルの側方のみから供給する誘導加熱調理器では、誘導加熱コイル面の熱伝達が低く冷却性能が良好でないため、熱損失の大きな誘導加熱コイルの冷却が十分できない。
【００１３】
また、誘導加熱コイルの最も発熱するトッププレート側（調理鍋が載置される側）の誘導加熱コイル上面に供給する冷却空気が十分でないため、アルミ鍋や銅鍋等の材質抵抗の低い調理鍋であるほど、加熱損失の増大による加熱コイルの温度上昇を十分抑制できず、調理鍋の加熱安定性が良好でない。
【００１４】
また、誘導加熱コイルの外周の一方向から冷却空気を供給する流れの従来構成では、最も冷却必要性の高い誘導加熱コイル上面に十分な冷却空気量が流れ難いため、誘導加熱コイルの冷却効率が良好でなく、流れ方向に温度の不均一性が生じ易く、信頼性が不充分である。
【００１５】
本発明は誘導加熱コイルを効率よく冷却し、特に加熱効率が鉄鍋に比べて低い鍋を用いた場合でも高出力での加熱調理が実現できる誘導加熱調理器を提供するものである。
【００１６】
【課題を解決するための手段】
上記目的を達成するため本発明は以下の手段を用いるものである。
【００１７】
請求項１では、誘導加熱調理器の本体内に誘導加熱コイルと、冷却ファンと、前記誘導加熱コイルに冷却ファンからの冷却風を通風するダクトとを備え、前記冷却ファンのケーシングの少なくとも一部が前記ダクトと一体構造になっているものである。
【００１８】
請求項２では、誘導加熱調理器の本体内に誘導加熱コイルと、冷却ファンと、前記誘導加熱コイルに冷却ファンからの冷却風を通風するダクトと、噴流を発生させる複数の気孔を有するチャンバとを備え、前記冷却ファンのケーシングの少なくとも一部が前記ダクトと、チャンバと一体構造になっているものである。
【００１９】
請求項３では、誘導加熱調理器の本体内に誘導加熱コイルと、前記誘導加熱コイルが載置されるコイルベースと、前記コイルベースの中央部に設置される鍋温度センサと、冷却ファンと、この冷却ファンにより前記誘導加熱コイルの上面にコイル中央部から放射状に冷却風を通風する通風路とを備え、さらに前記温度センサの風上側通風路内に該通風路壁と一体構造のフードを設けるものである。
【００２０】
請求項４では、誘導加熱調理器の本体内に誘導加熱コイルと、前記誘導加熱コイルが載置されるコイルベースと、前記コイルベースの中央部に設置される鍋温度センサと、冷却ファンと、前記冷却ファンにより誘導加熱コイルの上面にコイル中央部から放射状に冷却風を通風する通風路とを備え、前記温度センサの風上側通風路内に前記コイルベースと一体構造のフードを設けるものである。
【００２１】
請求項５では、ダクト又はチャンバの本体側への設置面において、通風路に本体側からリブを設けるものである。
【００２２】
請求項６では、ダクト又はチャンバの本体側への設置面において、本体側に溝を設けるものである。
【００２３】
請求項７では、誘導加熱調理器の本体内に誘導加熱コイルと、冷却ファンと、前記誘導加熱コイルに冷却ファンにより冷却風を通風するダクトとを備え、前記冷却ファンの回転中心軸と誘導加熱コイルの中心軸とをダクト内で仮想的に直線で結んだ場合に、少なくともダクト壁に遮られない部分がある通風構造とするものである。
【００２４】
請求項８では、誘導加熱調理器の本体内に誘導加熱コイルと、前記誘導加熱コイルを駆動する回路ユニットと、冷却ファンとを備え、前記冷却ファンのケーシングと回路ユニットとの間にノーズケーシング壁を前記冷却ファンのケーシング内部まで設置するものである。
【００２５】
上記の構成によって、誘導加熱コイルを効果的に冷却することができるとともに、温度センサは調理鍋の温度を的確に検知することができる。
【００２６】
また、回路基板に設置されている電子部品やその電子部品に取り付けられたヒートシンク等も効率よく冷却され、風きり音が低減されることで騒音も低くすることができる。
【００２７】
【発明の実施の形態】
以下に図面を参照して、本発明の実施の形態を説明する。
【００２８】
本発明の実施形態は誘導加熱調理器の一例として、誘導加熱を二口、電熱ヒータ加熱を一口とロースターを一口設けたビルトイン型の誘導加熱調理器に適用したものである。以下の本発明は誘導加熱する調理鍋の載置部を少なくとも一つ設けたＩＨ誘導加熱調理器であれば、ビルトイン型でなくとも据置型でも容易に適用できる。
本発明に係る第１の実施形態の誘導加熱調理器を図１乃至図５に示す。
【００２９】
図１乃至図５において、コンセント１は本体９の背面より伸びており、主電源スイッチ６０と火力調節用のダイヤル６１とを備えた操作パネル６が本体９の正面右側に配置してある。
【００３０】
本体９の上部はトップフレーム７２により周縁部を囲まれたトッププレート７０で覆われている。トッププレート７０は三ヶ所の調理鍋載置部７３ａ、７３ｂ、７３ｃと、背面側に通気孔７１を備えており、前面側では下方の表示パネル７４が見える構成となっている。
【００３１】
本体９の内部では、右側に回路ユニット４が配置され、左側にロースター８が設置されている。回路ユニット４の上方には支持部２７で支えられたコイルユニット２ａが配置され、ロースター８の上方には支持部２７で支えられたコイルユニット２ｂが配置されている。
【００３２】
また、コイルユニット２ａ、２ｂより背面側の中央部にラジエントヒータ１０が配置されている。コイルユニット２ａ、２ｂ、ラジエントヒータ１０は、それぞれトッププレート７０の調理鍋載置部７３ａ、７３ｂ、７３ｃの直ぐ下に位置する構成となっている。
【００３３】
コイルユニット２ａは、コイルベース２１ａを基盤としてコイルベース２１ａの骨格に取り付けられたフェライト２２の上に誘導加熱コイル（以下加熱コイルという）２０ａが収まっており、中央付近において円筒状のリブ２４が立つことで通気孔２８が形成され、さらにその中央部に取り付けられた温度センサ２９がトッププレート７０に接触する構成となっている。
【００３４】
トッププレート７０の背面側に備えられた通気孔７１の下方側において、左側は排気口６２となっており、右側は回路ユニット４の背面側に備わっている吸気ダクト８０が位置している。吸気ダクト８０の下流側近くには冷却ファン５５が回路ユニット４の背面側に位置するように設置されている。
【００３５】
冷却ファン５５の下流側では、電子部品４２とヒートシンク４３を配置した回路基板４１（４１ａ、４１ｂ、４１ｃ）が、回路ユニット４の内部で上下方向に層状となるように設置されている。また、冷却ファン５５は、周りをケーシング５４によって囲われ、各領域で細かく分割することでファン５５ａ、５５ｂ、５５ｃを構成しており、それぞれ吸気する口は吸気端５９ａ、５９ｂ、５９ｃとなっている。このファン５５ａ、５５ｂ、５５ｃは、お互いに連続した一部品となっていて仕切板５８により分けられ、この仕切板５８によってモータ５６の回転軸５７に固定されている。また、ファン５５ａが回路ユニット４の上方に突き出した際には、ファン５５ａの周りを囲うようにケーシング５４ａが備え付けられる。
【００３６】
ケーシング５４及び５４ａからは、ダクト３がコイルユニット２ａの下面側へ伸びるように回路ユニット４の上面４ａにより構成されており、コイルユニット２ａの下面側中央部付近には開口部３１が設けられている。また更に、ダクト３からは連結ダクト３２がコイルユニット２ｂまで伸びている。このとき、連結ダクト３２はダクト３から直列に伸びるようにしてもよく、また、ケーシング５４からダクト３と並列になるように設置しても良い。
【００３７】
空気はトッププレート７０の通気孔７１から吸気され、吸気ダクト８０を通過する冷却空気８１となって回路ユニット４の内部に取り込まれる。その後、冷却空気８１はファン５５ａ、５５ｂ、５５ｃの軸方向から流れ込む冷却空気８５ａ、８５ｂ、８５ｃとなり、それぞれ吸気端５９ａ、５９ｂ、５９ｃを通過してファン５５の内側へ流れていく。
【００３８】
冷却ファン５５の内側に流れてきた空気は、該冷却ファン５５によってダクト３側へ吹き出ていく冷却空気８６ａとなり、また、回路ユニット４の内部の回路基板４１側へ吹き出ていく冷却空気８６ｂ、８６ｃ、８６ｄとなる。ダクト３へ吹き出てきた冷却空気８６ａは、ダクト３の開口部３１を通過する冷却空気５１となり、コイルユニット２ａの通気孔２８を通って上面へ向かう。コイルユニット２ａの上面中央付近まで流れてきた冷却空気５１は、コイルユニット２ａの外側に広がるようにしてトッププレート７０とコイルユニット２ａの間隙２６を流れていく冷却空気５０となる。
【００３９】
一方、回路基板４１を通過してきた冷却空気８６ｂ、８６ｃ、８６ｄは一度まとまった流れとなって、図２と図４においては表示パネル７４へ向かう冷却空気５２となり、図５においては表示パネル７４へ向かう冷却空気５２とコイルユニット２ａの下面側へ向かう冷却空気５３に分かれる。
【００４０】
そして、上記の経路を辿ってきた空気のほとんどは最終的に集約され、排気８７として本体９の内部の背面に位置する排気口６２へ向かい、トッププレート７０の通気孔７１を通過する排気８２となって流れ出ていく。
【００４１】
次に、以上の構成による誘導加熱調理器の機能及び動作について、主にトッププレート７０の右側の調理鍋載置部７３ａに調理鍋が配置された場合を想定して説明する。
【００４２】
誘導加熱調理器はコンセント１により電力を供給され、本体９の正面側にある操作パネル６の主電源スイッチ６０を入れると電源が入る。調理鍋は調理鍋載置部７３ａに載せられているときに加熱調整用のダイヤル６１を操作することで加熱が開始され、ダイヤル６１の調整量はトッププレート７０の正面側下方の表示パネル７４に表示される。調理鍋載置部７３ａの下方に位置するコイルユニット２ａの加熱コイル２０ａに流れる電流は、ダイヤル６１の調整量に対応して制御されている。つまり、加熱コイル２０ａで誘導加熱される調理鍋の加熱量はダイヤル６１の調整によって定まることになる。また、調理鍋載置部７３ｂ、７３ｃと本体９の左側のロースター８も、操作パネル６で操作して加熱量を調整することができる。
【００４３】
加熱コイル２０ａは調理鍋の材質によって誘導加熱の効率が変化し、その損失分が加熱コイル２０ａや電子部品４２等の発熱となって誘導加熱調理器を構成する各部品の温度を上昇させる。各部品ごとには限界温度が決められており、それぞれ使用範囲温度まで冷却する必要がある。
【００４４】
そのため、加熱が開始されるとともに回路ユニット４の内部の冷却ファン５５も稼動して、各部品の冷却用の空気をトッププレート７０の通気孔７１から吸気する。誘導加熱調理器の内部に取り込まれた空気は、コイルユニット２ａへ向かう冷却空気８６ａと、回路ユニット４の内部に配置されている回路基板４１へ向かう冷却空気８６ｂ、８６ｃ、８６ｄとなって冷却ファン５５により吹き分けられる。
【００４５】
冷却空気８６ａは、ケーシング５４（５４ａ）により覆われた冷却ファン５５より吹き出してきており、回路ユニット４の上に位置するダクト３に案内されて開口部３１からコイルユニット２ａの中央部の通気孔２８を流れる冷却空気５１となる。コイルユニット２ａの上面中央部に流れてきた冷却空気５１は、トッププレート７０とコイルユニット２ａの間隙２６により形成される通風路を通して放射状に流れていく冷却空気５０となって、加熱コイル２０ａを冷却する。また、冷却ファン５５から流れ込んできた冷却空気８６ａの一部は、ダクト３から更に繋がっている連結ダクト３４を通過してコイルユニット２ｂの冷却に利用される。
【００４６】
冷却空気８６ｂ、８６ｃ、８６ｄは、回路基板４１に設置されている電子部品４２やその電子部品４２に取り付けられたヒートシンク４３等を冷却する。回路ユニット４の内部を冷却した冷却空気８６ｂ、８６ｃ、８６ｄは、図２と図４においては回路ユニット４の正面側上方から吹き出す冷却空気５２となって表示パネル７４を冷却しているが、図５においては冷却空気５３としても吹き分けられ、回路ユニット４の正面側上方から吹き出してコイルユニット２ａの下面側を冷却する。誘導加熱調理器の各部品を冷却して温度が上昇した空気は、その多くがトッププレート７０の通気孔７１から排気８２となって流れ出ていく。
【００４７】
本発明に係る第１の実施形態の特徴とその効果について以下に説明する。
【００４８】
調理鍋を誘導加熱する加熱コイル２０ａは加熱量の増加にともなって発熱量が増加し、また、誘導加熱の効率が低い調理鍋を用いたときほど発熱量が増加する。そのため、加熱コイル２０ａが最も発熱する誘導加熱状態において、その加熱コイル２０ａ自体の温度が非常に高くなってしまう。そこで、誘導加熱調理器に取り込まれた直後の比較的温度の低い空気の一部を加熱コイル２０ａまで集中的に送り込み、効果的に冷却できるようにしている。
【００４９】
すなわち、冷却ファン５５から吹き出す一部の冷却空気８６ａがケーシング５４（５４ａ）からダクト３を通過し、開口部３１から通気孔２８を通ってコイルユニット２ａの中央部上面側へ集中的に運ばれる冷却空気５１となり、それからトッププレート７０とコイルユニット２ａの間隙２６を流れる冷却空気５０となって中央部から放射状に流れるようになっている。
【００５０】
以上の誘導加熱調理器において、本発明の第１の形態はケーシング５４（５４ａ）とダクト３を一体構造としている。そうすることで、コイルユニット２ａの中央部上面側へ集中的に運ばれることになる冷却空気８６ａは、ケーシング５４（５４ａ）とダクト３の間で漏れ出すことが無くなる。その結果、加熱コイル２０ａの上面を通過する冷却空気５０の風量は増加することになり、加熱コイル２０ａを効果的に冷却することができる。
【００５１】
次に、本発明に係る第２の実施形態の誘導加熱調理器を図６、７に示す。
【００５２】
第２の実施形態は、図１乃至図５の誘導加熱調理器と構成から機能及び動作までほぼ同じ形態となっている。既に説明している点については前述を以って省略し、重要な点について構成、機能及び動作を以下に説明する。
【００５３】
上面に複数の気孔３０が備わっているチャンバ３３は、回路ユニット４とコイルユニット２ａとの間に挟まれた形で回路ユニット４の上面４ａに設置されている。ファン５５ａは回路ユニット４の上方に突き出しており、ファン５５ａの周りを囲うようにケーシング５４ａが備え付けられる。ケーシング５４ａからは、ダクト３がコイルユニット２ａの下面側へ伸びるようにして回路ユニット４の上面４ａで構成されており、コイルユニット２ａの下面側中央部付近で開口部３１が設けられている。また、ダクト３の一部は開口部３１を中心としてチャンバ３３により囲われており、チャンバ３３と同様に上面３ａに複数の気孔３０が備わっている。
【００５４】
ケーシング５４（５４ａ）に覆われた冷却ファン５５より吹き出してきた冷却空気８６ａは、回路ユニット４の上に位置するダクト３に案内されて開口部３１からコイルユニット２ａの中央部の通気孔２８を流れる冷却空気５１となる。また、冷却空気８６ａの一部はダクト３の上面に設けられた複数の気孔３０からコイルユニット２ａの下面に吹きつける噴流５１ａとなって噴き出し、コイルユニット２ａを下面側から冷却する。コイルユニット２ａの上面中央部に流れてきた冷却空気５１は、トッププレート７０とコイルユニット２ａの間隙２６を放射状に流れていく冷却空気５０となって、加熱コイル２０ａを冷却する。
【００５５】
冷却空気８６ｂ、８６ｃ、８６ｄは、回路基板４１に設置されている電子部品４２やその電子部品４２に取り付けられたヒートシンク４３等を冷却する。回路ユニット４の内部を冷却した冷却空気８６ｂ、８６ｃ、８６ｄは一度まとまった流れとなり、回路ユニット４の正面側上方から吹き出す冷却空気５２と冷却空気５３に吹き分けられる。冷却空気５２は表示パネル７４を冷却しており、冷却空気５３はチャンバ３３へ流れ込んだ後に、上面に開けられた複数の気孔３０から噴き出す噴流５１ａとなって、コイルユニット２ａの加熱コイル２０ａを冷却している。
【００５６】
上記本発明に係る第２の実施形態の特徴とその効果について以下に説明する。
【００５７】
調理鍋を誘導加熱する加熱コイル２０ａは加熱量の増加にともなって発熱量が増加し、また、誘導加熱の効率が低い調理鍋を用いたときほど発熱量が増加する。そのため、加熱コイル２０ａが最も発熱する誘導加熱状態において、その加熱コイル２０ａ自体の温度が非常に高くなってしまう。そこで、加熱コイル２０ａが収まっているコイルユニット２ａの下面側へ噴流５１ａの空気を噴きかけ、加熱コイル２０ａを下側から効果的に冷却できるようにしている。
【００５８】
回路ユニット４の内部を冷却し終えた冷却空気８６ｂ、８６ｃ、８６ｄは一度まとまった流れとなり、回路ユニット４の正面側上方から吹き出す冷却空気５２と冷却空気５３に吹き分けられる。冷却空気５３はチャンバ３３へ流れ込んだ後に、上面に開けられた複数の気孔３０から噴流５１ａとなってコイルユニット２ａの下面に噴きつける。
【００５９】
以上の誘導加熱調理器において、本発明の第２の形態はダクト３とチャンバ３３を一体構造としている。そうすることで、回路ユニット４からチャンバ３３へ流れ込んできた冷却空気５３は、ダクト３とチャンバ３３の間で漏れ出すことが無くなる。その結果、気孔３０から噴き出す噴流５１ａの勢いが増し、加熱コイル２０ａを下側から効果的に冷却することができる。
【００６０】
本発明に係る第３、４の実施形態の誘導加熱調理器を図８乃至図１０に示す。
【００６１】
第３、４の実施形態は、図１乃至図７の誘導加熱調理器と構成から機能及び動作までほぼ同じ形態となっている。既に説明している点については前述を以って省略し、重要な点について構成、機能及び動作を以下に説明する。
【００６２】
ダクト３はコイルユニット２ａの下面側へ伸びるように構成されており、コイルユニット２ａの下面側中央部付近で開口部３１が設けられている。
【００６３】
図８においては、開口部３１にフード支持３４ａによって支えられているフード３４が備わっており、開口部３１の中心に固定されている。
【００６４】
図９おいては、開口部３１の付近でフード支持３４ｂによって支えられているフード３４が設置されており、コイルベース２１ａの中央に位置する温度センサ２９の設置部でフード３４は固定されている。
【００６５】
図１０においては、開口部３１の付近でフード支持３４ｃによって支えられているフード３４が設置されており、通気孔２８の中心に固定されている。フード３４の上方には、コイルユニット２ａのコイルベース２１ａに取り付けられている温度センサ２９が位置している。温度センサ２９はトッププレート７０に接触するように設置されている。
【００６６】
調理鍋は、トッププレート７０の調理鍋載置部７３ａに載せられているときに、加熱調整用のダイヤル６１を操作することで加熱が開始される。調理鍋載置部７３ａの下方に位置するコイルユニット２ａの加熱コイル２０ａに電流が流れると調理鍋は誘導加熱され、調理時間の経過とともに調理鍋の温度は上昇していく。このとき、コイルユニット２ａのコイルベース２１ａの中央部に取り付けられている温度センサ２９は、調理鍋載置部７３ａの中央下側からトッププレート７０に接触し、間接的に調理鍋の温度を検知している。
【００６７】
冷却ファン５５より吹き出し、ダクト３に案内されてきた冷却空気５１は開口部３１のフード３４によって温度センサ２９を避けるように流れ、コイルユニット２ａの中央部の通気孔２８を通過していく。コイルユニット２ａの上面中央部に流れてきた冷却空気５１は、トッププレート７０とコイルユニット２ａの間隙２６を放射状に流れていく冷却空気５０となって、加熱コイル２０ａを集中的に冷却する。
【００６８】
この本発明に係る第３、４の実施形態の特徴とその効果について以下に説明する。
【００６９】
調理鍋はコイルユニット２ａの加熱コイル２０ａによって誘導加熱され、状況によっては調理鍋の温度が異常に加熱されることで温度が高くなる可能性がある。そのため、温度センサ２９によって間接的に調理鍋の温度を検知し、調理鍋が異常に加熱されないように誘導加熱は制御されるようになっている。
【００７０】
一方、コイルユニット２ａの上面の加熱コイル２０ａを集中的に冷却するために、冷却空気５１が通気孔２８へ集中的に流れ込んできて、その際に通気孔２８の中心に設置されている温度センサ２９に冷却空気５１が吹きかかる。温度センサ２９が冷却空気５１によって冷却されてしまうと、調理鍋の温度を的確に検知できなくなる可能性がある。そこで、温度センサ２９に冷却空気５１が直接吹きかからないようにして、温度を的確に検知できるようにしている。
【００７１】
ダクト３からの冷却空気５１は、開口部３１の付近に設けられたフード３４によって温度センサ２９を避けるように流れ、コイルユニット２ａの中央部の通気孔２８を通過していく。
【００７２】
以上の誘導加熱調理器において、本発明の第３の形態はダクト３とフード３４を一体構造とし、フード３４を温度センサ２９の下流側に設置する。
【００７３】
また、本発明の第４の形態はコイルベース２１ａ（２１ｂ）とフード３４を一体構造とし、フード３４を温度センサ２９の下流側に設置する。
【００７４】
そうすることで、温度センサ２９に冷却空気５１が直接吹きかかることが無くなる。その結果、温度センサ２９は的確に調理鍋の温度を的確に検知することができる。
【００７５】
本発明に係る第５、６の実施形態の誘導加熱調理器を図１１乃至図１６に示す。図１２は図１１に示している回路ユニット４を表しており、図１３乃至図１６は図１２に示している断面Ａの断面図を表している。
【００７６】
第５、６の実施形態は、図１乃至図１０の誘導加熱調理器と構成から機能及び動作までほぼ同じ形態となっている。既に説明している点については前述を以って省略し、重要な点について構成、機能及び動作を以下に説明する。
【００７７】
上面に複数の気孔３０が備わっているチャンバ３３は、回路ユニット４とコイルユニット２ａとの間に挟まれた形で回路ユニット４の上面４ａに設置されている。ファン５５ａは回路ユニット４の上方に突き出しており、ファン５５ａの周りを囲うようにケーシング５４ａが備え付けられる。
【００７８】
ケーシング５４ａからはダクト３がコイルユニット２ａの下面側へ伸びるようにして回路ユニット４の上面４ａとともに構成されており、コイルユニット２ａの下面側中央部付近で開口部３１が設けられている。また、ダクト３の一部は開口部３１を中心としてチャンバ３３により囲われており、チャンバ３３と同様に上面３ａに複数の気孔３０が備わっている。チャンバ３３及びダクト３は、回路ユニット４の上面４ａの接触部３５と合致している。
【００７９】
図１３においては、回路ユニット４の上面４ａからリブが立っており、チャンバ３３の側壁及びダクト３の側壁３ｂと合致している接触部３５ａの構成となっている。
【００８０】
図１４においては、回路ユニット４の上面４ａからリブが立って溝を形成しており、チャンバ３３の側壁及びダクト３の側壁３ｂと合致している接触部３５ｂの構成となっている。
【００８１】
図１５においては、回路ユニット４の上面４ａに彫られるようにして溝が形成されており、チャンバ３３の側壁及びダクト３の側壁３ｂと合致している接触部３５ｃの構成となっている。
【００８２】
図１６においては、回路ユニット４の上面４ａからリブが立っており、チャンバ３３の側壁及びダクト３の側壁３ｂに形成されている溝と合致している接触部３５ｄの構成となっている。
【００８３】
ケーシング５４（５４ａ）に覆われた冷却ファン５５より吹き出してきている冷却空気８６ａは、回路ユニット４の上に位置するダクト３に案内されて、開口部３１からコイルユニット２ａの中央部の通気孔２８を流れる冷却空気５１となる。また、冷却空気８６ａの一部はダクト３の上面に設けられた複数の気孔３０からコイルユニット２ａの下面に吹きつける噴流５１ａとなって噴き出し、コイルユニット２ａを下面側から冷却する。コイルユニット２ａの上面中央部に流れてきた冷却空気５１は、トッププレート７０とコイルユニット２ａの間隙２６を放射状に流れていく冷却空気５０となって、加熱コイル２０ａを冷却する。
【００８４】
冷却空気８６ｂ、８６ｃ、８６ｄは、回路基板４１に設置されている電子部品４２やその電子部品４２に取り付けられたヒートシンク４３等を冷却する。回路ユニット４の内部を冷却した冷却空気８６ｂ、８６ｃ、８６ｄは一度まとまった流れとなり、回路ユニット４の正面側上方から吹き出す冷却空気５２と冷却空気５３に吹き分けられる。冷却空気５２は表示パネル７４を冷却しており、冷却空気５３はチャンバ３３へ流れ込んだ後に、上面に開けられた複数の気孔３０から噴き出す噴流５１ａとなって、コイルユニット２ａの加熱コイル２０ａを冷却している。
【００８５】
本発明の第５、６の実施形態の特徴とその効果について以下に説明する。
【００８６】
調理鍋を誘導加熱する加熱コイル２０ａは加熱量の増加にともなって発熱量が増加し、また、誘導加熱の効率が低い調理鍋を用いたときほど発熱量が増加する。そのため、加熱コイル２０ａが最も発熱する誘導加熱状態において、その加熱コイル２０ａ自体の温度が非常に高くなってしまう。そこで、誘導加熱調理器に取り込まれた直後の比較的温度の低い空気の一部を、加熱コイル２０ａまで集中的に送り込み効果的に冷却できるようにしている。また、加熱コイル２０ａが収まっているコイルユニット２ａの下面側へ噴流５１ａの空気を噴きかけ、加熱コイル２０ａを下側から効果的に冷却できるようにしている。
【００８７】
冷却ファン５５から吹き出す一部の冷却空気８６ａがケーシング５４（５４ａ）からダクト３を通過し、開口部３１から通気孔２８を通ってコイルユニット２ａの中央部上面側へ集中的に運ばれる冷却空気５１となり、それからトッププレート７０とコイルユニット２ａの間隙２６を流れる冷却空気５０となって中央部から放射状に流れるようになっている。回路ユニット４の内部を冷却し終えた冷却空気８６ｂ、８６ｃ、８６ｄは一度まとまった流れとなり、回路ユニット４の正面側上方から吹き出す冷却空気５２と冷却空気５３に吹き分けられる。冷却空気５３はチャンバ３３へ流れ込んだ後に、上面に開けられた複数の気孔３０から噴流５１ａとなってコイルユニット２ａの下面に噴きつける。
【００８８】
以上の誘導加熱調理器において、本発明の第５の実施形態は、チャンバ３３の側壁及びダクト３の側壁３ｂと回路ユニット４の上面４ａの接触部で本体９側である回路ユニット４の上面４ａにリブを立てた構成とする。
【００８９】
また、本発明の第６の実施形態は、チャンバ３３の側壁及びダクト３の側壁３ｂと本体９側である回路ユニット４の上面４ａの接触部で、回路ユニット４の上面４ａ及びチャンバ３３の側壁、ダクト３の側壁３ｂに溝を設けた構成とする。
【００９０】
そうすることで、コイルユニット２ａの中央部上面側へ集中的に運ばれることになる冷却空気８６ａは、ダクト３と回路ユニット４の上面４ａとの間で漏れ出すことが無くなる。その結果、加熱コイル２０ａの上面を通過する冷却空気５０の風量は増加することになり、加熱コイル２０ａを効果的に冷却することができる。
【００９１】
また、回路ユニット４からチャンバ３３へ流れ込んできた冷却空気５３は、チャンバ３３と回路ユニット４の上面４ａとの間で漏れ出すことが無くなる。その結果、気孔３０から噴き出す噴流５１ａの勢いが増し、加熱コイル２０ａを下側から効果的に冷却することができる。
【００９２】
本発明に係る第７の実施形態の誘導加熱調理器を図１７に示す。図１７は、下方から見たファンケーシング５４ａ、ダクト３、チャンバ３３を表している。
【００９３】
第７の実施形態は、図１乃至図１６の誘導加熱調理器と構成から機能及び動作までほぼ同じ形態となっている。既に説明している点については前述を以って省略し、重要な点について構成、機能及び動作を以下に説明する。
【００９４】
冷却ファン５５の周りを囲うようにケーシング５４ａが備え付けられている。ケーシング５４ａからは、ダクト３がコイルユニット２ａの下面側へ伸びるようにして回路ユニット４の上面４ａとで構成されており、コイルユニット２ａの下面側中央部付近で開口部３１が設けられている。
【００９５】
ファン５５の回転軸からダクト３の開口部までは、如何なるものにも遮られることなく直線で結ぶことができる。また、ダクト３の一部は開口部３１を中心としてチャンバ３３により囲われており、チャンバ３３と同様に上面３ａに複数の気孔３０が備わっている。
【００９６】
ケーシング５４ａに覆われたファン５５より吹き出してきている冷却空気８６ａは、回路ユニット４の上に位置するダクト３に案内されて、開口部３１からコイルユニット２ａの中央部の通気孔２８を流れる冷却空気５１となる。このとき、ファン５５からダクト３の開口部３１まで、ダクト３が直線的に形成されているため、冷却空気８６ａは滑らかに勢いよく流れることができる。また、冷却空気８６ａの一部はダクト３の上面に設けられた複数の気孔３０からコイルユニット２ａの下面に吹きつける噴流５１ａとなって噴き出し、コイルユニット２ａを下面側から冷却する。コイルユニット２ａの上面中央部に流れてきた冷却空気５１は、トッププレート７０とコイルユニット２ａの間隙２６を放射状に流れていく冷却空気５０となって、加熱コイル２０ａを冷却する。
【００９７】
本発明に係る第７の実施形態の特徴とその効果について以下に説明する。
【００９８】
調理鍋を誘導加熱する加熱コイル２０ａは加熱量の増加にともなって発熱量が増加し、また、誘導加熱の効率が低い調理鍋を用いたときほど発熱量が増加する。そのため、加熱コイル２０ａが最も発熱する誘導加熱状態において、その加熱コイル２０ａ自体の温度が非常に高くなってしまう。そこで、誘導加熱調理器に取り込まれた直後の比較的温度の低い空気の一部を、加熱コイル２０ａまで集中的に送り込み効果的に冷却できるようにしている。
【００９９】
ファン５５からダクト３の開口部３１までダクト３は直線的に形成されているため、ファン５５から吹き出す一部の冷却空気８６ａが滑らかに勢いよく流れることができる。冷却空気８６ａはダクト３を通過し、開口部３１から通気孔２８を通ってコイルユニット２ａの中央部上面側へ集中的に運ばれる冷却空気５１となり、それからトッププレート７０とコイルユニット２ａの間隙２６を流れる冷却空気５０となって中央部から放射状に流れるようになっている。
【０１００】
以上の誘導加熱調理器において、本発明の第７の実施形態は、ファン５５の回転軸からダクト３の開口部まで如何なるものにも遮られることなく直線で結ぶことができる構成とする。そうすることで、コイルユニット２ａの中央部上面側へ集中的に運ばれることになる冷却空気８６ａは、ダクト３で滑らかに勢いよく流れることができる。その結果、加熱コイル２０ａの上面を通過する冷却空気５０の風量は増加することになり、加熱コイル２０ａを効果的に冷却することができる。
【０１０１】
本発明に係る第８の実施形態の誘導加熱調理器を図１８乃至図２０に示す。図１８乃至図２０は図１２に示している断面Ｂの断面図を表している。
【０１０２】
第８の実施形態は、図１乃至図１７の誘導加熱調理器と構成から機能及び動作までほぼ同じ形態となっている。既に説明している点については前述を以って省略し、重要な点について構成、機能及び動作を以下に説明する。
【０１０３】
冷却ファン５５はケーシング５４に囲われ、回路ユニット４の内部の背面側に設置されている。冷却ファン５５の下流側では、電子部品４２とヒートシンク４３を配置した回路基板４１（４１ａ、４１ｂ、４１ｃ）が、回路ユニット４の内部で上下方向に層状となって設置されている。
【０１０４】
図１８においては、ケーシング５４と回路基板４１の間に一点で折り返る形状のノーズケーシング壁５４ｃが設けられ、図１９においては、ケーシング５４と回路基板４１の間にＲ形状のノーズケーシング壁５４ｄが設けられ、また、図２０においては、ケーシング５４と回路基板４１の間に二点で折り返る形状のノーズケーシング壁５４ｅが設けられている。
【０１０５】
ファン５５より吹き出してきた冷却空気８６は、ケーシング５４とノーズケーシング壁５４ｃ、５４ｄ、５４ｅによって案内され、滑らかに勢いよく流れだしていく。その後、冷却空気８６は、冷却ファン５５の下流側に配置された回路基板４１に設置されている電子部品４２やその電子部品４２に取り付けられたヒートシンク４３等を冷却する。
【０１０６】
本発明に係る第８の実施形態の特徴とその効果について以下に説明する。
【０１０７】
回路基板に設置されているそれぞれの電子部品４２は、誘導加熱の加熱量の増加にともなって発熱量が増加し、また、誘導加熱の効率が低い調理鍋を用いたときほど発熱量が増加する。そのため、最も発熱する誘導加熱状態において、その電子部品４２自体の温度が非常に高くなってしまう。それぞれの電子部品４２ごとには限界温度が決められており、それぞれ使用範囲温度まで冷却する必要がある。
【０１０８】
そこで、ファン５５からの冷却空気８６が勢いよく吹き出して電子部品４２及び電子部品４２に取り付けられたヒートシンク４３等を効果的に冷却できるようにしている。また、隙間風を塞いで騒音も低くしている。
【０１０９】
冷却ファン５５より吹きだしてきた冷却空気８６は、ケーシング５４とノーズケーシング壁５４ｃ、５４ｄ、５４ｅによって案内され、滑らかに勢いよく流れだしていく。その後、冷却空気８６は、冷却ファン５５の下流側に配置された回路基板４１に設置されている電子部品４２やその電子部品４２に取り付けられたヒートシンク４３等を冷却する。
【０１１０】
以上の誘導加熱調理器において、本発明の第８の実施形態は、ファン５５を囲っているケーシング５４と回路基板４１との間に、ノーズケーシング壁５４ｃ、５４ｄ、５４ｅをケーシング５４の内部まで設けた構成とする。そうすることで、冷却空気８６はケーシング５４と回路基板４１との間へ漏れ出すことがなくなり、回路基板４１側へ流れ込む風量が増加する。
【０１１１】
その結果、回路基板４１に設置されている電子部品４２やその電子部品４２に取り付けられたヒートシンク４３等を効率よく冷却することができる。
【０１１２】
また、ケーシング５４と回路基板４１の間を吹きぬける冷却空気８６が抑制されるため、風きり音が低減されることで騒音も低くすることができる。
【０１１３】
【発明の効果】
本発明の請求項１から８によれば、誘導加熱コイルを効果的に冷却するとともに、温度センサは的確に調理鍋の温度を的確に検知することができる。
【０１１４】
また、回路基板に設置されている電子部品やその電子部品に取り付けられたヒートシンク等も効率よく冷却され、風きり音が低減されることで騒音も低くすることができる。
【図面の簡単な説明】
【図１】本発明の第１の実施例に関する誘導加熱調理器の斜視図である。
【図２】本発明の第１の実施例に関する誘導加熱調理器の側面断面図である。
【図３】本発明の第１の実施例に関するコイルユニットの側面断面図である。
【図４】本発明の第１の実施例に関する誘導加熱調理器の側面断面図である。
【図５】本発明の第１の実施例に関する誘導加熱調理器の側面断面図である。
【図６】本発明の第２の実施例に関する誘導加熱調理器の斜視図である。
【図７】本発明の第２の実施例に関する誘導加熱調理器の側面断面図である。
【図８】本発明の第３の実施例に関するコイルユニットの側面断面図である。
【図９】本発明の第４の実施例に関するコイルユニットの側面断面図である。
【図１０】本発明の第４の実施例に関するコイルユニットの側面断面図である。
【図１１】本発明の第５、６の実施例に関する誘導加熱調理器の斜視図である。
【図１２】本発明の第５、６、８の実施例に関する回路ユニットの斜視図である。
【図１３】本発明の第５の実施例に関するコイルユニット冷却用風路部品側面断面図である。
【図１４】本発明の第６の実施例に関するコイルユニット冷却用風路部品側面断面図である。
【図１５】本発明の第６の実施例に関するコイルユニット冷却用風路部品側面断面図である。
【図１６】本発明の第５、６の実施例に関するコイルユニット冷却用風路部品側面断面図である。
【図１７】本発明の第７の実施例に関するコイルユニット冷却用風路部品図である。
【図１８】本発明の第８の実施例に関する回路ユニット断面図である。
【図１９】本発明の第８の実施例に関する回路ユニット断面図である。
【図２０】本発明の第８の実施例に関する回路ユニット断面図である。
【符号の説明】
２ａ、２ｂ    コイルユニット
３    ダクト
３ａ    ダクト上壁
３ｂ    ダクト側壁
４    回路ユニット
６    操作パネル
９    本体
１０    ラジエントヒータ
２０ａ、２０ｂ    加熱コイル
２１ａ、２１ｂ    コイルベース
２４    リブ
２６    間隙
２７    支持部
２８    通気孔
２９    温度センサ
３２    連結ダクト
３３    チャンバ
３４    フード
３４ａ、３４ｂ、３４ｃ    フード支持
３５    接触部
４１ａ、４１ｂ、４１ｃ    回路基板
４２    電子部品
４３    ヒートシンク
５４    ケーシング
５４ｃ、５４ｄ、５４ｅ    ノーズケーシング壁
５５    冷却ファン
５６    モータ
５７    回転軸
５８    仕切板
５９ａ、５９ｂ、５９ｃ    吸気端
６２    排気口
７０    トッププレート
７３ａ、７３ｂ、７３ｃ    調理鍋載置部
７４    表示パネル
８０    吸気ダクト
【図１】
2005038653.tif 000003
【図２】
2005038653.tif 000004
【図３】
2005038653.tif 000005
【図４】
2005038653.tif 000006
【図５】
2005038653.tif 000007
【図６】
2005038653.tif 000008
【図７】
2005038653.tif 000009
【図８】
2005038653.tif 000010
【図９】
2005038653.tif 000011
【図１０】
2005038653.tif 000012
【図１１】
2005038653.tif 000013
【図１２】
2005038653.tif 000014
【図１３】
2005038653.tif 000015
【図１４】
2005038653.tif 000016
【図１５】
2005038653.tif 000017
【図１６】
2005038653.tif 000018
【図１７】
2005038653.tif 000019
【図１８】
2005038653.tif 000020
【図１９】
2005038653.tif 000021
【図２０】
2005038653.tif 000022